(57)【特許請求の範囲】
【請求項１】
複数種のジョブのいずれかに対する実行指示が入力されたことを条件に、前記実行指示に対応するジョブを実行する制御ユニットと、
駆動ユニットと、
前記駆動ユニットにより駆動される被駆動ユニットと、
前記駆動ユニットと前記被駆動ユニットとの間を、接続及び遮断する切替ユニットと、
を備え、
前記複数種のジョブは、前記被駆動ユニットの駆動ステップを含む第一ジョブ及び前記被駆動ユニットの駆動ステップを含まない第二ジョブを含み、
前記制御ユニットは、
前記第一ジョブ及び前記第二ジョブのいずれかを実行対象として選択可能な選択画面をユーザインタフェースに表示させ、前記実行対象が選択されたことを条件に、前記選択されたジョブの実行指示を前記ユーザインタフェースから入力可能なサブ画面を、前記ユーザインタフェースに表示させる表示制御処理と、
前記選択画面に基づき前記実行対象として前記第一ジョブが選択されると、前記被駆動ユニットが前記駆動ユニットに接続されるように前記切替ユニットを制御することにより、前記被駆動ユニットを前記駆動ユニットにより駆動可能な状態にする指示前処理と、
を実行し、
前記実行対象として前記第二ジョブが選択されると、前記指示前処理を実行せずに、前記表示制御処理で、前記サブ画面として、前記第二ジョブの実行指示を前記ユーザインタフェースから入力可能なサブ画面を、前記ユーザインタフェースに表示させるように構成されていること
を特徴とする電子機器。
【請求項２】
前記被駆動ユニットは、前記駆動ユニットにより駆動されて、シートを搬送する搬送ユニットであることを特徴とする請求項１記載の電子機器。
【請求項３】
記録ヘッドからインク液滴を吐出することにより、前記シートに画像を形成する画像形成ユニット
を更に備え、
前記第一ジョブは、前記画像形成ユニットの駆動ステップを含み、
前記指示前処理は、前記選択画面で前記第一ジョブが選択されると、前記切替ユニットを制御することにより、前記搬送ユニットを前記駆動ユニットにより駆動可能な状態にし、更には、前記記録ヘッドに装着されたキャップを取り外して、前記画像形成ユニットを画像形成可能な状態にする処理であること
を特徴とする請求項２記載の電子機器。
【請求項４】
前記切替ユニットと連動して、前記搬送ユニットが前記駆動ユニットに接続されるときには、前記キャップを前記記録ヘッドから取り外すキャッピングユニットを備えること
を特徴とする請求項３記載の電子機器。
【請求項５】
前記制御ユニットは、前記記録ヘッドから前記キャップが取り外された状態が所定時間継続すると、前記記録ヘッドに前記キャップを装着する処理を更に実行するように構成されていること
を特徴とする請求項３又は請求項４記載の電子機器。
【請求項６】
前記ユーザインタフェースは、前記サブ画面を表示している間において、前記選択されたジョブの実行条件を変更可能な変更画面の表示指示を入力可能な構成にされ、前記変更画面を表示している間において、前記実行条件の変更指示及び前記サブ画面の表示指示を入力可能な構成にされ、
前記制御ユニットは、前記変更画面の表示指示が入力されると、前記ユーザインタフェースに前記変更画面に表示させて、前記実行条件の変更指示及び前記サブ画面の表示指示を受け付ける処理、及び、前記サブ画面の表示指示が入力されると、前記ユーザインタフェースに前記サブ画面を表示させ、この際、前記記録ヘッドに前記キャップが装着されている場合には、前記記録ヘッドに装着された前記キャップを取り外して、前記画像形成ユニットを画像形成可能な状態にする処理を更に実行するように構成されていること
を特徴とする請求項５記載の電子機器。
【請求項７】
前記搬送ユニットは、複数のトレイを備え、前記複数のトレイの内、前記駆動ユニットとの接続状態に応じた一つのトレイから、シートを搬送するように構成され、
前記指示前処理は、前記複数のトレイの内の予め設定されたトレイからの前記シートの搬送が可能となるように、前記駆動ユニットと前記搬送ユニットとを接続する処理であること
を特徴とする請求項２〜請求項６のいずれか一項記載の電子機器。
【請求項８】
前記切替ユニットは、前記接続状態の切替により、前記シートが搬送されるトレイである有効トレイを、予め定められた順序で切り替えるように構成され、
前記指示前処理は、前記切替ユニットを制御することにより、前記搬送ユニットと前記駆動ユニットとが遮断された状態から最初に前記搬送ユニットと前記駆動ユニットとが接続されるときの前記有効トレイからの前記シートの搬送が可能となるように、前記駆動ユニットと前記搬送ユニットとを接続する処理であること
を特徴とする請求項７記載の電子機器。
【請求項９】
前記制御ユニットは、前記ユーザインタフェースから搬送対象のシートを指定する情報が入力されると、前記切替ユニットを制御して、前記複数のトレイの内、前記指定された搬送対象のシートを有するトレイからの前記シートの搬送が可能となるように、前記駆動ユニットと前記搬送ユニットとの接続状態を切り替える処理を更に実行する構成にされていること
を特徴とする請求項７又は請求項８記載の電子機器。
【請求項１０】
前記複数のトレイの夫々に対する操作の発生を、前記制御ユニットが検知するためのセンサを備え、
前記制御ユニットは、前記センサを介して前記複数のトレイのいずれかに対する操作の発生を検知すると、前記切替ユニットを制御して、前記複数のトレイの内、前記操作されたトレイから前記シートが搬送されるように、前記駆動ユニットと前記搬送ユニットとの接続状態を切り替える処理を更に実行するように構成されていること
を特徴とする請求項７〜請求項９のいずれか一項記載の電子機器。
【請求項１１】
前記電子機器は、読取デバイスにより原稿を光学的に読み取り、前記原稿のコピー画像を前記シートに形成するコピー機能を有し、
前記第一ジョブは、前記原稿のコピー画像を前記シートに形成するジョブであること
を特徴とする請求項２〜請求項１０のいずれか一項記載の電子機器。
【発明の詳細な説明】
【技術分野】
【０００１】
本発明は、複数種のジョブを実行可能な電子機器に関する。
【背景技術】
【０００２】
従来、プリンタ装置、スキャナ装置、及び、コピー機として機能する多機能装置が知られている。具体的には、記録ヘッドからインク液滴を吐出して用紙に画像を形成するインクジェット型の多機能装置（特許文献１参照）が知られている。
【０００３】
この多機能装置では、インク液滴の吐出不良の原因を除去するための回復処理が、吐出動作に先立って行われる。従来技術としては、過度に回復処理を行わずに短時間でコピージョブを実行できるように、原稿の読取動作の開始に先立つユーザによる操作が行われたことを契機に、回復処理を行う技術が知られている。
【先行技術文献】
【特許文献】
【０００４】
【特許文献１】特開２００５−２３８７１０号公報
【発明の概要】
【発明が解決しようとする課題】
【０００５】
しかしながら、多機能装置においては、原稿の読取動作の開始に先立つユーザの操作が、コピーのための操作とは限らない。即ち、ユーザが多機能装置をスキャナ装置として利用するために、原稿の読取動作の開始に先立つ操作をする場合もある。この場合には、回復処理等の画像形成（印刷）に関する事前準備が無駄になる。
【０００６】
この他、ユーザがコピー枚数や用紙サイズ等の条件を確定する操作をしたときに、画像形成に関する事前準備を行うケースでは、コピージョブの実行直前に、事前準備を行うことになるため、スループットの向上に限界がある。
【０００７】
従って、本発明は、被駆動ユニットの駆動を伴うジョブ及び駆動を伴わないジョブを含む複数種のジョブを実行する電子機器において、被駆動ユニットの駆動準備を、効率的に実行できることが望ましい。
【課題を解決するための手段】
【０００８】
本発明の一側面に係る電子機器は、制御ユニットと、駆動ユニットと、被駆動ユニットと、切替ユニットと、を備える。被駆動ユニットは、駆動ユニットにより駆動される。制御ユニットは、複数種のジョブのいずれかに対する実行指示が入力されたことを条件に、実行指示に対応するジョブを実行するように構成される。複数種のジョブは、被駆動ユニットの駆動ステップを含む第一ジョブ及び被駆動ユニットの駆動ステップを含まない第二ジョブを含む。切替ユニットは、駆動ユニットと被駆動ユニットとの間を接続及び遮断するように構成される。
【０００９】
本発明の一側面によれば、上記制御ユニットは、更に、表示制御処理と、指示前処理と、を実行するように構成される。表示制御処理は、第一ジョブ及び第二ジョブのいずれかを実行対象として選択可能な選択画面をユーザインタフェースに表示させる処理を含む。この表示制御処理は、実行対象が選択されたことを条件に、選択されたジョブの実行指示を入力可能なサブ画面を、ユーザインタフェースに表示させる処理を更に含む。
【００１０】
指示前処理は、上記選択画面に基づき実行対象として第一ジョブが選択されると、被駆動ユニットが駆動ユニットに接続されるように切替ユニットを制御する処理を含む。この処理により、被駆動ユニットは、駆動ユニットにより駆動可能な状態にされる。
【００１１】
この電子機器によれば、制御ユニットが、被駆動ユニットの駆動ステップを含む第一ジョブ及び被駆動ユニットの駆動ステップを含まない第二ジョブを実行可能である。従って、ジョブの実行指示が入力されるまで、被駆動ユニットを駆動する必要があるか否かが定まらない。
【００１２】
本発明の一側面に係る電子機器は、このような環境下において、上記実行対象として第一ジョブが選択されることで第一ジョブの実行指示が入力される可能性が高まった時点で、被駆動ユニットを駆動ユニットにより駆動可能な状態にする。従って、この電子機器によれば、被駆動ユニットの駆動準備、ひいては被駆動ユニットの駆動ステップを含む第一ジョブの実行準備を、効率的に行うことができる。
【００１３】
被駆動ユニットとしては、駆動ユニットにより駆動されて、シートを搬送する搬送ユニットを一例に挙げることができる。第一ジョブが搬送ユニットを駆動してシートを搬送するステップを含むジョブであるとき、上記指示前処理は、シート搬送の迅速化に役立つ。
【００１４】
上記電子機器は、記録ヘッドからインク液滴を吐出することにより、シートに画像を形成する画像形成ユニットを有した構成にされ得る。第一ジョブは、画像形成ユニットの駆動ステップを含むジョブであり得る。
【００１５】
この場合、上記指示前処理は、選択画面で第一ジョブが選択されると、記録ヘッドに装着されたキャップを取り外して、画像形成ユニットを画像形成可能な状態にする処理を含んでいてもよい。このように構成された本発明の一側面に係る電子機器によれば、シートに画像を形成するジョブの準備を効率的に行うことができる。
【００１６】
本発明の一側面によれば、電子機器は、読取デバイスにより原稿を光学的に読み取り、原稿のコピー画像をシートに形成するコピー機能を有した構成にされてもよい。この場合、第一ジョブは、原稿のコピー画像をシートに形成するジョブであり得る。このように構成された本発明の一側面に係る電子機器によれば、ジョブの実行指示が入力されてからコピー動作を完了するまでの処理速度（スループット）を向上させることができる。
【００１７】
付言すると、電子機器は、切替ユニットと連動して、搬送ユニットが駆動ユニットから遮断されるときには、キャップを記録ヘッドに装着し、搬送ユニットが駆動ユニットに接続されるときには、キャップを記録ヘッドから取り外すキャッピングユニットを備えるように構成されてもよい。このように構成された本発明の一側面に係る電子機器によれば、搬送ユニットと駆動ユニットとの間の接続及び遮断と、キャップの着脱とを連動して効率的に実行可能である。
【００１８】
この他、インク液滴を吐出するタイプの記録ヘッドでは、インク液滴の吐出口がキャップされていない状態が長く続くと、インク詰まり等の不具合が発生しやすい。インク詰まりは、吐出不良の原因となる。従って、制御ユニットは、記録ヘッドからキャップが取り外された状態が所定時間継続すると、記録ヘッドにキャップを装着する処理を実行するように構成されてもよい。このように構成された本発明の一側面に係る電子機器によれば、事前準備による不利益の発生を抑制可能である。
【００１９】
また、ユーザインタフェースは、サブ画面を表示している間、ジョブの実行条件を変更可能な変更画面の表示指示を入力可能な構成にされ得る。この場合、制御ユニットは、変更画面の表示指示が入力されると、ユーザインタフェースに変更画面を表示させて、実行条件の変更指示及びサブ画面の表示指示を受け付ける処理を実行する構成にされ得る。
【００２０】
即ち、ユーザインタフェースは、変更画面を表示している間、実行条件の変更指示及びサブ画面の表示指示を入力可能な構成にされ得る。この場合、制御ユニットは、サブ画面の表示指示が入力されると、ユーザインタフェースにサブ画面を表示させる構成にされ得る。
【００２１】
更に言えば、制御ユニットは、記録ヘッドにキャップが装着されている場合、上記サブ画面の表示指示が入力されると、記録ヘッドに装着されたキャップを取り外し、画像形成ユニットを画像形成可能な状態にする処理を更に実行するように構成され得る。
【００２２】
このように構成された本発明の一側面に係る電子機器によれば、実行条件の変更等にユーザが時間を有し、記録ヘッドにキャップが装着された場合にも、変更操作が完了してジョブの実行指示が入力される前に、記録ヘッドからキャップを取り外して、ジョブの実行に備えることができる。
【００２３】
この他、搬送ユニットは、複数のトレイを備えた構成にされ得る。この場合、搬送ユニットは、複数のトレイの内、駆動ユニットとの接続状態に応じた一つのトレイから、シートを搬送するように構成され得る。そして、指示前処理は、複数のトレイの内の予め設定されたトレイからのシートの搬送が可能となるように、駆動ユニットと搬送ユニットとを接続する処理として構成され得る。予め設定されたトレイは、ユーザが予め設定したものであってもよいし、電子機器の製造者が予め設定したものであってもよい。
【００２４】
切替ユニットは、搬送ユニットと駆動ユニットとの間の接続状態の切替によって、上記複数のトレイの内、シートが搬送されるトレイである有効トレイを、予め定められた順序で切り替えるように構成されてもよい。この場合、指示前処理は、切替ユニットを制御することにより、被駆動ユニットと駆動ユニットとが遮断された状態から最初に搬送ユニットと駆動ユニットとが接続されるときの有効トレイからのシートの搬送が可能となるように、駆動ユニットと搬送ユニットとを接続する処理であり得る。
【００２５】
このように構成された本発明の一側面に係る電子機器によれば、利用されるトレイが確定されていない段階での、接続状態の切替を最低限に抑えることができ、効率的に搬送ユニットの駆動準備を行うことができる。搬送ユニットと駆動ユニットとが遮断された状態から接続されるときの最初の有効トレイに、使用頻度の高いシートを収容することをユーザに対して推奨すれば、上記指示前処理の効果を高めることができる。
【００２６】
この他、制御ユニットは、ユーザインタフェースから搬送対象のシートを指定する情報が入力されると、切替ユニットを制御して、上記複数のトレイの内、指定された搬送対象のシートを有するトレイからのシート搬送が可能となるように、駆動ユニットと搬送ユニットとの接続状態を切り替える処理を更に実行するように構成されてもよい。
【００２７】
このように構成された本発明の一側面に係る電子機器によれば、搬送ユニットの駆動準備を適切に修正し、ジョブの実行指示に備えることができる。
電子機器は、上記複数のトレイの夫々に対する操作の発生を、制御ユニットが検知するためのセンサを備えてもよい。この場合、制御ユニットは、センサを介して複数のトレイのいずれかに対する操作の発生を検知すると、切替ユニットを制御して、上記複数のトレイの内、操作されたトレイからシートが搬送されるように、駆動ユニットと搬送ユニットとの接続状態を切り替える処理を実行するように構成され得る。
【００２８】
トレイが操作される場合には、そのトレイを利用する予定でユーザが当該トレイを操作している可能性が高い。従って、上述したように構成される本発明の一側面に係る電子機器によれば、搬送ユニットの駆動準備を適切且つ効率的に行うことができる。
【図面の簡単な説明】
【００２９】
【図１】多機能装置の概略構成を表すブロック図である。
【図２】キャリッジの搬送路周辺の構成を説明した図である。
【図３】キャッピング機構の概略構成を表す側面図である。
【図４】レバー保持部材の構成を表す概略上面図（Ａ）及び伝達機構の構成を表す概略側面図（Ｂ）である。
【図５】主制御ユニットが実行する操作受付処理を表すフローチャートである。
【図６】表示画面の構成を例示する図である。
【図７】主制御ユニットが実行する先行処理を表すフローチャートである。
【図８】主制御ユニットが実行する駆動切替処理を表すフローチャートである。
【図９】主制御ユニットが実行する連動切替処理を表すフローチャートである。
【発明を実施するための形態】
【００３０】
以下に本発明の実施例を、図面を用いて説明する。
［第一実施例］
図１に示す本実施例の多機能装置１は、プリンタ装置、スキャナ装置、コピー機、及び、ファクシミリ装置として機能する。以下では、これらの機能を、夫々順に、プリント機能、スキャン機能、コピー機能、及び、ＦＡＸ機能と表現する。
【００３１】
この多機能装置１は、主制御ユニット１０と、ＦＡＸ通信ユニット２０と、データ通信ユニット２５と、ユーザインタフェース３０と、読取ユニット４０と、印刷制御ユニット５０と、搬送制御ユニット６０と、を備える。
【００３２】
多機能装置１は、更に、キャリッジ搬送ユニット７０と、記録ヘッド８０と、切替レバー９０と、用紙搬送ユニット１００と、伝達機構２００と、第一給紙ユニット３１０と、第二給紙ユニット３２０と、反転ユニット３３０と、メンテナンスユニット３４０と、を備える。
【００３３】
主制御ユニット１０は、ＣＰＵ１１と、ＲＯＭ１３と、ＲＡＭ１５と、ＮＶＲＡＭ１７と、を備える。ＲＯＭ１３は、各種プログラムを記憶する。ＣＰＵ１１は、これらプログラムに従う処理を実行する。ＲＡＭ１５は、ＣＰＵ１１による処理実行時に、作業領域として使用される。ＮＶＲＡＭ１７は、電気的にデータ書き換え可能な不揮発性メモリであり、多機能装置１の電源オフ後にも保持する必要のあるデータを記憶する。
【００３４】
ＣＰＵ１１は、ＲＯＭ１３が記憶するプログラムに従う処理を実行することにより、装置内各部を統括制御し、各種機能を実現する。以下では、ＣＰＵ１１が実行する処理を、主制御ユニット１０を動作主体として説明する。
【００３５】
ＦＡＸ通信ユニット２０は、外部ファクシミリ装置３とファクシミリ通信可能に構成される。データ通信ユニット２５は、パーソナルコンピュータ等の外部端末装置５とデータ通信可能に構成される。データ通信ユニット２５は、例えば、外部端末装置５とＵＳＢ通信又はブルートゥース（Ｂｌｕｅｔｏｏｔｈ：登録商標）通信可能な構成にされる。データ通信ユニット２５は、外部端末装置５と有線又は無線ＬＡＮ通信可能な構成にされてもよい。
【００３６】
ユーザインタフェース３０は、ユーザ向けの情報表示を行うための表示ユニット３１と、ユーザ操作可能な入力ユニット３５と、を備える。表示ユニット３１としては、液晶ディスプレイを一例に挙げることができる。入力ユニット３５としては、タッチパネルを一例に挙げることができる。タッチパネルは、表示ユニット３１の画面上に設けられる。別例として、入力ユニット３５は、機械スイッチ（ボタン）の一群から構成されるものであってもよいし、タッチパネル及び機械スイッチの組合せからなるものであってもよい。
【００３７】
読取ユニット４０は、主制御ユニット１０からの指令に従って、原稿台に載置された原稿又はオートドキュメントフィーダから搬送されてくる原稿を光学的に読み取るように構成される。原稿の読取画像を表す読取画像データは、主制御ユニット１０に提供される。
【００３８】
印刷制御ユニット５０は、主制御ユニット１０からの指令に従って、記録ヘッド８０を搭載するキャリッジ７１（図２参照）の搬送を制御し、更には、記録ヘッド８０によるインク液滴の吐出動作を制御するように構成される。印刷制御ユニット５０は、キャリッジ搬送ユニット７０を制御することにより、キャリッジ７１の主走査方向への移動を制御する。主走査方向は、用紙Ｑの搬送方向である副走査方向に直交する。
【００３９】
図２に示すようにキャリッジ搬送ユニット７０は、キャリッジ７１と、モータ７３と、ベルト機構７５と、ガイドレール７７，７８と、リニアエンコーダ７９と、を備える。モータ７３は、印刷制御ユニット５０により制御される。
【００４０】
ベルト機構７５は、主走査方向に配列された駆動プーリ７５１及び従動プーリ７５３と、駆動プーリ７５１と従動プーリ７５３との間に巻回されたベルト７５５と、を備える。ベルト７５５には、キャリッジ７１が固定される。ベルト機構７５では、駆動プーリ７５１がモータ７３からの動力を受けて回転し、ベルト７５５及び従動プーリ７５３が、駆動プーリ７５１の回転に伴って、従動回転する。
【００４１】
ガイドレール７７，７８は、主走査方向に沿って延設され、互いに副走査方向に離れた位置に配置される。ガイドレール７８には、孔ＨＬが形成されている。切替レバー９０は、この孔ＨＬを通じて、ガイドレール７８の下方から上方（キャリッジ７１の搬送路上）に突出している。切替レバー９０の詳細については、図４を用いて後述する。
【００４２】
ベルト機構７５は、ガイドレール７７に配置される。ガイドレール７７，７８には、例えば主走査方向に延びる突条（図示せず）がキャリッジ７１の移動方向を主走査方向に規制するために設けられる。キャリッジ７１は、例えば、下面の溝に突条が配置されるようにガイドレール７７，７８上に載置される。この状態で、キャリッジ７１は、ベルト７５５の回転に連動して、ガイドレール７７，７８上を主走査方向に往復動する。記録ヘッド８０は、キャリッジ７１の移動に伴って、主走査方向に搬送される。
【００４３】
リニアエンコーダ７９は、印刷制御ユニット５０がキャリッジ７１の主走査方向における位置を検出できるように構成される。具体的に、リニアエンコーダ７９は、エンコーダスケール７９Ａと、光学センサ７９Ｂと、を備える。エンコーダスケール７９Ａは、ガイドレール７７に固定配置される。光学センサ７９Ｂは、キャリッジ７１に固定配置される。リニアエンコーダ７９は、エンコーダスケール７９Ａと光学センサ７９Ｂとの間の相対位置の変化を光学センサ７９Ｂにより検出し、この検出信号を、エンコーダ信号として印刷制御ユニット５０に入力する。
【００４４】
印刷制御ユニット５０は、リニアエンコーダ７９からのエンコーダ信号に基づき、キャリッジ７１の主走査方向における位置を検出する。印刷制御ユニット５０は、キャリッジ７１の検出位置に基づき、モータ７３を制御することにより、キャリッジ７１の主走査方向の位置及び速度を制御する。更に、印刷制御ユニット５０は、用紙Ｑ上の目的の位置にインク液滴が着弾するように、キャリッジ７１の移動に合わせて、記録ヘッド８０によるインク液滴の吐出動作を制御する。
【００４５】
搬送制御ユニット６０（図１参照）は、主制御ユニット１０からの指令に従って、搬送モータ１１０を制御する。用紙搬送ユニット１００は、搬送モータ１１０、搬送ローラ１２０及びロータリエンコーダ１３０を備える。搬送モータ１１０は、搬送ローラ１２０に連結されており、搬送ローラ１２０を回転駆動する。
【００４６】
搬送ローラ１２０は、記録ヘッド８０によるインク液滴吐出位置よりも、用紙Ｑの搬送方向上流に設けられる。搬送ローラ１２０は、主走査方向に平行な回転軸を有し、回転により、上流から供給された用紙Ｑを、インク液滴吐出位置に向けて、副走査方向に搬送する。搬送ローラ１２０に対しては、これに対向する図示しないピンチローラが設けられる。用紙搬送ユニット１００は、搬送ローラ１２０とピンチローラとの間に用紙Ｑを挟持した状態で、搬送ローラ１２０を回転させることにより、用紙Ｑを搬送する。
【００４７】
ロータリエンコーダ１３０は、搬送制御ユニット６０が搬送ローラ１２０の回転量及び回転速度を検出できるように設けられる。即ち、ロータリエンコーダ１３０は、搬送ローラ１２０の回転に応じたエンコーダ信号を出力するように設けられる。ロータリエンコーダ１３０は、例えば、搬送モータ１１０と搬送ローラ１２０との間の動力伝達経路に設けられる。
【００４８】
搬送制御ユニット６０は、ロータリエンコーダ１３０から入力されるエンコーダ信号に基づき、搬送ローラ１２０の回転量及び回転速度を検出し、搬送モータ１１０を制御する。これにより、搬送制御ユニット６０は、搬送ローラ１２０の回転、ひいては、用紙Ｑの搬送動作を制御する。
【００４９】
伝達機構２００は、搬送ローラ１２０の搬送モータ１１０が接続された端部とは反対側の端部に設けられる。この伝達機構２００は、搬送モータ１１０からの動力を、搬送ローラ１２０を介して受けて、これを駆動対象の機械的装置３１０，３２０，３３０，３４０のいずれかに伝達するように構成される。具体的に、伝達機構２００は、切替レバー９０の位置に応じて、上記機械的装置としての第一給紙ユニット３１０、第二給紙ユニット３２０、反転ユニット３３０、及び、メンテナンスユニット３４０のいずれかに搬送モータ１１０からの動力を伝達する。
【００５０】
第一給紙ユニット３１０は、第一給紙ローラ３１１と、第一トレイ３１３と、第一開閉センサ３１５と、を備える。第一給紙ローラ３１１は、搬送ローラ１２０及び伝達機構２００を介して伝達されてくる搬送モータ１１０からの動力を受けて回転する。第一給紙ユニット３１０は、第一給紙ローラ３１１の回転により、第一トレイ３１３に収容される用紙Ｑを、搬送ローラ１２０に供給する。第一開閉センサ３１５は、第一トレイ３１３の開閉を検知する。第一開閉センサ３１５による検知信号は、主制御ユニット１０に入力される。
【００５１】
第二給紙ユニット３２０も、第一給紙ユニット３１０と同様に、第二給紙ローラ３２１と、第二トレイ３２３と、第二開閉センサ３２５と、を備える。第二給紙ローラ３２１は、搬送ローラ１２０及び伝達機構２００を介して伝達されてくる搬送モータ１１０からの動力を受けて回転する。第二給紙ユニット３２０は、第二給紙ローラ３２１の回転により、第二トレイ３２３に収容される用紙Ｑを搬送ローラ１２０に供給する。第二開閉センサ３２５は、第二トレイ３２３の開閉を検知する。第二開閉センサ３２５による検知信号は、主制御ユニット１０に入力される。
【００５２】
反転ユニット３３０は、用紙Ｑの両面印刷時に駆動される。反転ユニット３３０は、搬送モータ１１０からの動力を、搬送ローラ１２０及び伝達機構２００を介して受けて動作する。反転ユニット３３０は、記録ヘッド８０による印刷位置（インク液滴吐出位置）の下流側に通過した用紙Ｑを、その表裏を反転して印刷位置の上流側に再供給する。
【００５３】
メンテナンスユニット３４０は、記録ヘッド８０のメンテナンスを行う装置である。メンテナンスユニット３４０は、キャッピング機構３５０及び図示しないポンプを備える。ポンプは、搬送モータ１１０からの動力を、伝達機構２００を介して受けて動作する。
【００５４】
キャッピング機構３５０は、キャリッジ７１の搬送路におけるメンテナンスエリアＭＡ（図２参照）に設けられる。メンテナンスエリアＭＡは、キャリッジ７１の搬送路の端部に設けられる。キャリッジ７１の搬送路の中央部は、用紙Ｑへの画像形成のために記録ヘッド８０が往復動する搬送路内のメインエリアであり、メンテナンスエリアＭＡは、このメインエリアに隣接して設けられる。
【００５５】
キャッピング機構３５０は、図３に示すように、インク液滴の吐出口が配列された記録ヘッド８０のノズル面を被覆するためのキャップ３５１と、昇降機３５３と、を備える。キャップ３５１は、バネ３５５を介して昇降機３５３に接続される。図３上段は、記録ヘッド８０にキャップ３５１が装着される前のキャップ３５１及び昇降機３５３の配置を概略的に表し、図３下段は、記録ヘッド８０にキャップ３５１が装着されたときのキャップ３５１及び昇降機３５３の配置を概略的に表す。
【００５６】
昇降機３５３は、キャリッジ７１と当接する壁３５３Ａを有し、キャリッジ７１からの力の作用を受けて動作する。具体的に、昇降機３５３は、キャリッジ７１がメインエリアからメンテナンスエリアＭＡに進入し、搬送路の終端側に移動するとき、壁３５３Ａを介してキャリッジ７１からの力の作用を受けてキャップ３５１を徐々に上昇させるように動作し、記録ヘッド８０のノズル面にキャップ３５１を装着する。キャップ３５１の装着は、キャリッジ７１が搬送路の終端まで移動すると完了する。
【００５７】
昇降機３５３は、キャリッジ７１が搬送路の終端からメインエリアに向けて離れるとき、キャリッジ７１からの力の作用による拘束から開放され、自重によりキャップ３５１を降ろすように動作する。キャップ３５１の下降により、キャップ３５１は、記録ヘッド８０から取り外される。
【００５８】
キャッピング機構３５０は、このようにキャリッジ７１からの力の作用を受けて機械的に動作し、記録ヘッド８０に対してキャップ３５１を着脱する。ポンプは、記録ヘッド８０にキャップ３５１が装着された状態で、搬送モータ１１０からの動力を受けて動作し、記録ヘッド８０からキャップ３５１に吐出されたインク液滴を吸引及び回収する。
【００５９】
続いて、伝達機構２００の詳細構成を説明する。伝達機構２００は、図４の領域（Ｂ）に示すように、駆動ギヤ２１０と、移動ギヤ２２０と、上述した機械的装置３１０，３２０，３３０，３４０の夫々に対応する接続ギヤ２３０Ａ，２３０Ｂ，２３０Ｃ，２３０Ｄと、を備える。駆動ギヤ２１０、移動ギヤ２２０、及び、接続ギヤ２３０Ａ−Ｄの夫々は、平歯車としての形態を有する。ここで、接続ギヤ２３０Ａ−Ｄとの記載は、接続ギヤ２３０Ａ，２３０Ｂ，２３０Ｃ，２３０Ｄを表す。接続ギヤ２３０との記載は、接続ギヤ２３０Ａ，２３０Ｂ，２３０Ｃ，２３０Ｄの内の特定されない一つを示すときに用いられる。
【００６０】
駆動ギヤ２１０は、その回転軸が搬送ローラ１２０の回転軸に一致するようにして、搬送ローラ１２０の端部に固定される。これにより、駆動ギヤ２１０は、搬送ローラ１２０と一体に回転する。駆動ギヤ２１０は、移動ギヤ２２０の移動範囲において常時移動ギヤ２２０と噛合うような軸方向の寸法を有する。
【００６１】
移動ギヤ２２０は、駆動ギヤ２１０と常時噛合い、且つ、移動ギヤ２２０の回転軸が駆動ギヤ２１０の回転軸と平行となるように配置される。移動ギヤ２２０の回転軸に沿っては、軸部材２２５が移動ギヤ２２０の回転中心の孔を貫くように配置される。これにより、移動ギヤ２２０は、軸部材２２５に対して回転可能且つ軸方向にスライド移動可能に配置される。
【００６２】
移動ギヤ２２０は、軸部材２２５に案内されて接続ギヤ２３０Ａ−Ｄ間を移動する。接続ギヤ２３０Ａ−Ｄは、回転軸に垂直な側面が互いに対向するようにして、移動ギヤ２２０の回転軸（軸部材２２５）に対して整列配置される。移動ギヤ２２０は、これら接続ギヤ２３０Ａ−Ｄの夫々と個別に噛合可能な軸方向の寸法を有する。
【００６３】
軸部材２２５は、切替レバー９０の端部９０Ｅがスライド移動可能であるように切替レバー９０を支持する。端部９０Ｅは、移動ギヤ２２０に隣接するようにして、移動ギヤ２２０よりもキャリッジ７１の搬送路の終端側に配置される。
【００６４】
この軸部材２２５には、移動ギヤ２２０及び切替レバー９０の端部９０Ｅを挟むように二つのバネ部材２２７，２２８が配置される。バネ部材２２８による付勢力は、バネ部材２２７による付勢力よりも大きい。従って、切替レバー９０は、その移動範囲全体に亘って、接続ギヤ２３０Ｄから接続ギヤ２３０Ａに向かう方向への付勢力を受ける。移動ギヤ２２０は、バネ部材２２７から付勢力を受けているため、切替レバー９０が接続ギヤ２３０Ａから接続ギヤ２３０Ｄ側に移動するとき、切替レバー９０に追従するように移動する。移動ギヤ２２０は、このようにバネ部材２２７からの力の作用により、切替レバー９０の位置に応じて移動する。
【００６５】
切替レバー９０は、図４の領域（Ａ）に示すように、上述した孔ＨＬを形成するレバー保持部材２４０内に配置される。図２に示す孔ＨＬは、抽象化された矩形状で表されるが、この孔ＨＬは、詳細には、図４の領域（Ａ）に示す形状にされる。図４の領域（Ａ）には、ガイドレール７８の上面から見たときの孔ＨＬの具体的形状が示される。レバー保持部材２４０は、ガイドレール７８に形成される孔に固定される。
【００６６】
レバー保持部材２４０は、レバー配置領域２４１Ａ，２４１Ｂ，２４１Ｃ，２４１Ｄを備える。切替レバー９０は、レバー配置領域２４１Ａにて、孔ＨＬの縁に当接されることにより、バネ部材２２７，２２８の力の作用によっても、キャリッジ７１の搬送路のメインエリア側には移動しないように保持される。レバー配置領域２４１Ａに切替レバー９０があるとき、移動ギヤ２２０は、接続ギヤ２３０Ａと噛合う位置に配置される。
【００６７】
切替レバー９０は、キャリッジ７１がメインエリアからメンテナンスエリアＭＡに進入し、搬送路の終端側に移動するときに、キャリッジ７１と当接し、キャリッジ７１からの押圧力を受けて、レバー配置領域２４１Ａからレバー配置領域２４１Ｄに向けて移動する。切替レバー９０は、キャリッジ７１が搬送路のメインエリア側に移動するとき、キャリッジ７１の押圧力から開放されて、バネ部材２２８からの力の作用により、レバー配置領域２４１Ｄからレバー配置領域２４１Ａに移動する。
【００６８】
切替レバー９０の端部９０Ｅと移動ギヤ２２０とが接触している状態では、切替レバー９０がレバー配置領域２４１Ｂにあるとき、移動ギヤ２２０は、接続ギヤ２３０Ｂと噛合う位置に配置される。同様に、切替レバー９０がレバー配置領域２４１Ｃ，２４１Ｄに配置されるとき、移動ギヤ２２０は、夫々、接続ギヤ２３０Ｃ，２３０Ｄと噛合う位置に配置される。
【００６９】
切替レバー９０は、その端部９０Ｅにおいて、バネ部材２２８の捩れによる力（軸部材２２５の周方向に沿う力）の作用を受けている。即ち、切替レバー９０は、図４の領域（Ａ）において、図面左下方向に向かう力の作用を受けている。
【００７０】
従って、切替レバー９０は、レバー配置領域２４１Ａからレバー配置領域２４１Ｄ側に移動する過程において、図４の領域（Ａ）における孔ＨＬの図面下方の縁に沿って移動する。移動する過程でキャリッジ７１がメインエリア側に後退しても、切替レバー９０は、レバー配置領域２４１Ｂ，２４１Ｃに形成された切欠きによって、レバー配置領域２４１Ｂ，２４１Ｃに保持される。
【００７１】
切替レバー９０は、レバー配置領域２４１Ｄに配置された後、キャリッジ７１が後退し始めると、バネ部材２２８からの力の作用を受けて、案内部材２４２に案内されながらレバー配置領域２４１Ａまで戻る。案内部材２４２には、下方に伸びるレール２４３が形成されている。切替レバー９０は、このレール２４３に摺接しながらレバー配置領域２４１Ａに戻る。このとき、移動ギヤ２２０は、切替レバー９０の端部９０Ｅからの力の作用を受けて、切替レバー９０と共に接続ギヤ２３０Ａ側に移動する。
【００７２】
接続ギヤ２３０Ａ−Ｄは、移動ギヤ２２０の回転軸と平行な共通の軸部材２３５に回転可能に支持される。接続ギヤ２３０Ａ−Ｄの回転軸は、この軸部材２３５に一致する。接続ギヤ２３０Ａ−Ｄの夫々は、移動ギヤ２２０の移動範囲内に配置される。
【００７３】
接続ギヤ２３０Ａは、第一給紙ユニット３１０に接続される。即ち、接続ギヤ２３０Ａは、移動ギヤ２２０と噛合っている状態で、搬送ローラ１２０からの動力を、駆動ギヤ２１０及び移動ギヤ２２０を介して受けて、この動力を第一給紙ユニット３１０に伝達する。これにより、第一給紙ユニット３１０は駆動される。
【００７４】
接続ギヤ２３０Ｂは、第二給紙ユニット３２０に接続される。即ち、接続ギヤ２３０Ｂは、移動ギヤ２２０と噛合っている状態で、搬送ローラ１２０からの動力を、駆動ギヤ２１０及び移動ギヤ２２０を介して受けて、この動力を第二給紙ユニット３２０に伝達する。これにより、第二給紙ユニット３２０は駆動される。
【００７５】
接続ギヤ２３０Ｃは、反転ユニット３３０に接続される。即ち、接続ギヤ２３０Ｃは、移動ギヤ２２０と噛合っている状態で、搬送ローラ１２０からの動力を、駆動ギヤ２１０及び移動ギヤ２２０を介して受けて、この動力を反転ユニット３３０に伝達する。これにより、反転ユニット３３０は駆動される。
【００７６】
接続ギヤ２３０Ｄは、傘歯車部２３１を備え、この傘歯車部２３１でメンテナンスユニット３４０に接続される。接続ギヤ２３０Ｄは、移動ギヤ２２０と噛合っている状態で、搬送ローラ１２０からの動力を、駆動ギヤ２１０及び移動ギヤ２２０を介して受けて、この動力をメンテナンスユニット３４０に伝達する。これにより、メンテナンスユニット３４０（ポンプ）は駆動される。
【００７７】
切替レバー９０がレバー配置領域２４１Ｄを、キャリッジ７１の搬送路の終端に向けて移動するとき、移動ギヤ２２０は、バネ部材２２７から付勢されるものの、接続ギヤ２３０Ｄが有する傘歯車部２３１によって終端側への移動を阻害されて、接続ギヤ２３０Ｄと接続された状態に維持される。
【００７８】
切替レバー９０がレバー配置領域２４１Ｄにおいて搬送路の終端に移動する際には、キャリッジ７１の動きに連動してキャッピング機構３５０が、キャップ３５１を上方にリフトアップする。切替レバー９０がレバー配置領域２４１Ｄの終端２４１ＤＥに移動したとき、記録ヘッド８０へのキャッピングは完了する。
【００７９】
記録ヘッド８０のキャッピングが完了するキャリッジ７１の搬送路の終端は、キャリッジ７１のホームポジションに対応する。多機能装置１は、スキャナ装置として機能する場合など、用紙Ｑへの印刷が不要な期間では、キャリッジ７１を、このホームポジションに配置した状態を維持する。このとき、切替レバー９０は、レバー配置領域２４１Ｄの終端２４１ＤＥに配置された状態に維持され、搬送モータ１１０と、第一給紙ユニット３１０、第二給紙ユニット３２０、及び反転ユニット３３０との間の動力伝達経路は、遮断された状態に維持される。
【００８０】
キャリッジ７１が、ホームポジションからメインエリアに進入すると、レバー配置領域２４１Ｄに位置する切替レバー９０は、案内部材２４２に案内されながらレバー配置領域２４１Ａに戻る。この切替レバー９０の移動に伴って、切替レバー９０の端部９０Ｅと移動ギヤ２２０とが接触している状態では、移動ギヤ２２０が、接続ギヤ２３０Ｄと噛合う位置から、接続ギヤ２３０Ａと噛合う位置に移動する。レバー配置領域２４１Ａは、切替レバー９０が、レバー配置領域２４１Ｄから戻る際に、最初に位置する領域である。
【００８１】
続いて、主制御ユニット１０が実行する処理を詳細説明する。主制御ユニット１０は、多機能装置１の電源が投入されると、図５に示す処理を繰返し実行することにより、表示ユニット３１に、各種画面を表示させ、入力ユニット３５を介した画面に対するユーザ操作を受け付ける。
【００８２】
主制御ユニット１０は、図５に示す処理を開始すると、表示ユニット３１に図６上段に示すメイン画面Ｇ１を表示させる（Ｓ１１０）。メイン画面Ｇ１は、階層表示される画面群の最上層画面に対応する。
【００８３】
メイン画面Ｇ１は、利用対象機能として、多機能装置１が有するスキャン機能、コピー機能、及び、ＦＡＸ機能のいずれか一つをユーザが選択可能な画面として構成される。図６上段に示すメイン画面Ｇ１は、ＦＡＸ機能に対応した操作オブジェクトＪ１１、コピー機能に対応した操作オブジェクトＪ１２、及び、スキャン機能に対応した操作オブジェクトＪ１３を有する。
【００８４】
メイン画面Ｇ１ではプリント機能を選択することができないが、プリント機能は、外部端末装置５から印刷対象データが送信されてくると、主制御ユニット１０が印刷ジョブを実行することにより実現される。印刷ジョブにおいて、主制御ユニット１０は、印刷制御ユニット５０及び搬送制御ユニット６０を制御することにより、キャリッジ７１の搬送動作、記録ヘッド８０からのインク液滴の吐出動作、用紙Ｑの供給動作及び印刷位置への搬送動作を制御し、用紙Ｑに印刷対象データに基づく画像を形成する。
【００８５】
メイン画面Ｇ１の表示中、主制御ユニット１０は、操作オブジェクトＪ１２が押下操作されるか、その他の操作がなされるまで待機する（Ｓ１２０，Ｓ１２５）。そして操作オブジェクトＪ１２が押下操作されることにより利用対象機能としてコピー機能が選択されると（Ｓ１２０でＹｅｓ）、主制御ユニット１０は、Ｓ１３０に移行する。一方、その他の操作がなされた場合には（Ｓ１２０でＮｏ及びＳ１２５でＮｏ）、主制御ユニット１０は、Ｓ１４０に移行して、操作に対応した処理を実行する。
【００８６】
例えば、メイン画面Ｇ１の操作オブジェクトＪ１１が押下操作されると、主制御ユニット１０は、メイン画面Ｇ１をＦＡＸ送信画面に切り替えるように、表示ユニット３１を制御する（Ｓ１４０）。ＦＡＸ送信画面は、メイン画面Ｇ１より一階層下のサブ画面であり、ＦＡＸ送信ジョブの実行指示、及び、ＦＡＸ送信動作の詳細設定画面の表示指示を入力可能な画面として構成される。主制御ユニット１０は、ＦＡＸ送信ジョブの実行指示が入力ユニット３５から入力されると、ＦＡＸ送信ジョブを実行する。
【００８７】
ＦＡＸ送信ジョブは、読取ユニット４０に送信対象の原稿を読み取らせるステップと、読取ユニット４０から提供された読取画像データをファクシミリデータとして、外部ファクシミリ装置３に送信するステップと、を含む。ＦＡＸ送信ジョブは、用紙Ｑに対する印刷動作を含まないため、給紙ユニット３１０，３２０の駆動ステップを含まない。ＦＡＸ送信ジョブが終了すると、表示ユニット３１には、メイン画面Ｇ１が表示される。
【００８８】
メイン画面Ｇ１の操作オブジェクトＪ１３が押下操作されると、主制御ユニット１０は、メイン画面Ｇ１をスキャン画面に切り替えるように、表示ユニット３１を制御する（Ｓ１４０）。スキャン画面は、メイン画面Ｇ１より一階層下のサブ画面であり、スキャンジョブの実行指示、及び、スキャン動作の詳細設定画面の表示指示を入力可能な画面として構成される。主制御ユニット１０は、スキャンジョブの実行指示が入力ユニット３５から入力されると、スキャンジョブを実行する。
【００８９】
スキャンジョブは、読取ユニット４０に読取対象の原稿を読み取らせるステップと、読取ユニット４０から提供された読取画像データをＮＶＲＡＭ１７に記録する又は外部端末装置５に送信するステップと、を含む。スキャンジョブは、用紙Ｑに対する印刷動作を含まないため、給紙ユニット３１０，３２０の駆動ステップを含まない。スキャンジョブが終了すると、表示ユニット３１には、メイン画面Ｇ１が表示される。
【００９０】
一方、操作オブジェクトＪ１２が押下操作されてＳ１３０に移行すると、主制御ユニット１０は、図７に示す先行処理を開始する。先行処理は、操作受付処理とは並列に実行される。
【００９１】
先行処理は、コピーに際して利用される第一給紙ユニット３１０又は第二給紙ユニット３２０を、コピージョブの実行指示が入力される前に利用可能な状態にするための処理である。上述したように、第一給紙ユニット３１０又は第二給紙ユニット３２０を駆動するためには、キャリッジ７１が切替レバー９０を移動させて、移動ギヤ２２０を、接続ギヤ２３０Ａ又は接続ギヤ２３０Ｂに接続させる必要がある。更に、用紙Ｑに対する画像形成前には、キャリッジ７１が移動して記録ヘッド８０からキャップ３５１を取り外す必要がある。先行処理は、これらの動作を、用紙Ｑに対する画像形成から先行して実現するための処理である。詳細については後述する。
【００９２】
Ｓ１３０で先行処理を開始すると、主制御ユニット１０は、続いて、メイン画面Ｇ１を、図６中段に示すコピー画面Ｇ２に切り替えるように、表示ユニット３１を制御する（Ｓ１５０）。コピー画面Ｇ２は、メイン画面Ｇ１より一階層下のサブ画面であり、コピージョブの実行指示、及び、下層のオプション画面Ｇ３の表示指示を、入力ユニット３５から入力可能な画面として構成される。
【００９３】
コピー画面Ｇ２は、高画質コピーモードの選択操作を受けるための操作オブジェクトＪ２１と、標準コピーモードの選択操作を受け付けるための操作オブジェクトＪ２２と、両面コピーモードの選択操作を受け付けるための操作オブジェクトＪ２３と、を有する。高画質コピーモードは、原稿のコピー画像を用紙Ｑに高画質で片面印刷する動作モードである。標準コピーモードは、原稿のコピー画像を用紙Ｑに標準画質で片面印刷する動作モードである。両面コピーモードは、原稿のコピー画像を用紙Ｑに両面印刷する動作モードである。
【００９４】
コピー画面Ｇ２は、更に、オプション画面Ｇ３の表示指示を受け付けるための操作オブジェクトＪ２４と、コピージョブの実行指示を受け付けるための操作オブジェクトＪ２５，Ｊ２６と、コピー画面Ｇ２を閉じる操作を受け付けるための操作オブジェクトＪ２７と、を有する。
【００９５】
オプション画面Ｇ３は、図６下段に示すように、コピー実行条件を定義付ける複数のパラメータに関して、これらパラメータの設定値を変更する操作を受付可能に構成される。以下では、コピージョブにて実現されるべき付属動作のことをコピー実行条件と表現する。コピー実行条件は、コピー画像の品質（画質）、コピー画像を形成すべき用紙Ｑのタイプ及びサイズ、並びに、利用すべき給紙トレイ等についての条件を含む。
【００９６】
上記各パラメータの初期値は、高画質コピーモード、標準コピーモード及び両面コピーモードの夫々に対して予め定められ、オプション画面Ｇ３では、各パラメータの設定値を、選択されたコピーモードに対応する初期値から変更可能である。コピー画面Ｇ２にていずれのコピーモードの選択操作もなされていない場合には、ユーザにより選択されているコピーモードが標準コピーモードであるとみなして、オプション画面Ｇ３で設定値の変更操作を受け付ける。
【００９７】
図６下段に示す例によれば、オプション画面Ｇ３は、画質、用紙タイプ、用紙サイズ、及び、給紙トレイを変更する操作を受付可能に構成される。本実施例の多機能装置１は、給紙トレイとして、第一トレイ３１３及び第二トレイ３２３を備えるが、第一トレイ３１３及び第二トレイ３２３のいずれから用紙Ｑを搬送ローラ１２０に供給すべきかは、このオプション画面Ｇ３で変更される給紙トレイの設定値によって定まる。
【００９８】
給紙トレイの設定値が「自動選択」である場合、主制御ユニット１０は、用紙タイプ及び用紙サイズに基づいて、利用する給紙トレイを自動選択するように動作する。第一トレイ３１３及び第二トレイ３２３の夫々に収容された用紙Ｑのタイプ及びサイズは、予めユーザから通知される。給紙トレイの設定値が「自動選択」ではなく「第一トレイ」又は「第ニトレイ」である場合、用紙タイプ及び用紙サイズから特定される給紙トレイは無視され、設定値に従う給紙トレイが給紙時に利用される。各コピーモードにおける給紙トレイの初期値は「自動選択」である。
【００９９】
主制御ユニット１０は、コピー画面Ｇ２の表示中に操作オブジェクトＪ２４に対する押下操作によりオプション画面Ｇ３の表示指示が入力ユニット３５から入力されると（Ｓ１６０でＹｅｓ）、表示ユニット３１にオプション画面Ｇ３を表示させる（Ｓ１７０）。オプション画面Ｇ３は、コピー画面に戻る操作を受け付けるための操作オブジェクトＪ３１を含む。
【０１００】
主制御ユニット１０は、操作オブジェクトＪ３１に対する押下操作によりオプション画面Ｇ３を閉じる操作がなされると（Ｓ１８０でＹｅｓ）、オプション画面Ｇ３を閉じ、表示ユニット３１に、コピー画面Ｇ２を表示させる（Ｓ１９０）。
【０１０１】
この他、主制御ユニット１０は、コピー画面Ｇ２を閉じる操作として操作オブジェクトＪ２７に対する押下操作がなされると（Ｓ２００でＹｅｓ）、操作受付処理を一旦終了し、メイン画面Ｇ１を表示ユニット３１に表示させる（Ｓ１１０）。
【０１０２】
この他、主制御ユニット１０は、コピージョブの実行指示として操作オブジェクトＪ２５，Ｊ２６のいずれかに対する押下操作がなされると（Ｓ２１０でＹｅｓ）、コピージョブを開始し（Ｓ２２０）、更には、表示ユニット３１にジョブの実行状況を伝える画面を表示させるように、表示ユニット３１を制御する（Ｓ２３０）。そして、コピージョブが終了すると、操作受付処理を一旦終了し、表示ユニット３１にメイン画面Ｇ１を表示させる（Ｓ１１０）。
【０１０３】
詳述すると、コピージョブにおいて、主制御ユニット１０は、コピー画面Ｇ２にて選択された高画質コピーモード、標準コピーモード、及び、両面コピーモードのいずれかに対応するコピー実行条件、又は、オプション画面Ｇ３を通じて変更されたコピー実行条件を満足するコピー動作が実現されるように、装置内各部を制御する。
【０１０４】
主制御ユニット１０は、コピージョブの実行指示が操作オブジェクトＪ２５の押下操作によりなされている場合には、コピージョブとして、読取ユニット４０に、モノクロの読取画像データを生成させる処理を実行する。更に、主制御ユニット１０は、読取画像データに基づく原稿のモノクロコピー画像が、コピー実行条件に従う給紙トレイ（第一トレイ３１３又は第二トレイ３２３）から供給される用紙Ｑに、コピー実行条件に従う画質で印刷されるように、印刷制御ユニット５０及び搬送制御ユニット６０に指令入力する。
【０１０５】
主制御ユニット１０は、印刷制御ユニット５０及び搬送制御ユニット６０に対する指令入力により、キャリッジ７１の搬送動作、記録ヘッド８０のインク液滴吐出動作、切替レバー９０の位置、第一給紙ユニット３１０又は第二給紙ユニット３２０の駆動及び給紙動作、並びに、用紙搬送ユニット１００による用紙Ｑの搬送動作を制御する。
【０１０６】
同様に、主制御ユニット１０は、コピージョブの実行指示が操作オブジェクトＪ２６の押下操作によりなされている場合には、読取ユニット４０に、カラーの読取画像データを生成させる。また、主制御ユニット１０は、読取画像データに基づく原稿のカラーコピー画像が、コピー実行条件に従う給紙トレイから供給される用紙Ｑに、コピー実行条件に従う画質で印刷されるように、印刷制御ユニット５０及び搬送制御ユニット６０に指令入力する。
【０１０７】
主制御ユニット１０は、コピー画面Ｇ２及びオプション画面Ｇ３に対するその他の操作がなされた場合には、Ｓ２４０に移行して、操作に対応した処理を実行する。例えば、コピー画面Ｇ２において、操作オブジェクトＪ２１が押下操作された場合、主制御ユニット１０は、高画質のコピー画像を用紙Ｑに片面印刷するためのコピー実行条件を設定する。操作オブジェクトＪ２２が押下操作された場合、主制御ユニット１０は、標準画質のコピー画像を用紙Ｑに片面印刷するためのコピー実行条件を設定する。操作オブジェクトＪ２３が押下操作された場合、主制御ユニット１０は、標準画質のコピー画像を用紙Ｑに両面印刷するためのコピー実行条件を設定する。
【０１０８】
主制御ユニット１０は、上記操作に対応した処理を、Ｓ１６０〜Ｓ２４０において、コピー画面Ｇ２を閉じる操作がなされる（Ｓ２００でＹｅｓ）か、コピージョブの実行指示に従ってコピージョブを実行する（Ｓ２１０でＹｅｓ）まで繰返し実行する。
【０１０９】
続いて、Ｓ１３０で主制御ユニット１０が開始する先行処理の詳細を、図７を用いて説明する。主制御ユニット１０は、先行処理を開始すると、最初にアンキャップ処理を実行する（Ｓ３１０）。
【０１１０】
アンキャップ処理は、キャリッジ搬送ユニット７０を通じてキャリッジ７１を制御することにより、記録ヘッド８０からキャップ３５１を取り外す処理のことである。アンキャップ処理では、主制御ユニット１０は、キャリッジ７１をメンテナンスエリアＭＡの終端（ホームポジション）からメインエリア側に移動させるように制御する。これにより、切替レバー９０が、レバー配置領域２４１Ｄからレバー配置領域２４１Ａに移動する。
【０１１１】
以下では、レバー配置領域２４１Ａ、レバー配置領域２４１Ｂ、レバー配置領域２４１Ｃ、及び、レバー配置領域２４１Ｄのことを夫々順に、ポジションＡ、ポジションＢ、ポジションＣ、及び、ポジションＤとも表現する。切替レバー９０は、ポジションＡ、ポジションＢ、ポジションＣ、ポジションＤ、ポジションＡと言った具合に、ポジションＡ、ポジションＢ、ポジションＣ及びポジションＤを一定順序で循環するように移動する。
【０１１２】
切替レバー９０がポジションＤ（終端２４１ＤＥ）にある状態でキャリッジ７１をメインエリア側に移動させると、切替レバー９０は、ポジションＢ及びポジションＣにあるレバー保持部材２４０の切欠きに係止されることなく、案内部材２４２に案内されてポジションＡに移動する。この切替レバー９０の移動に伴って、移動ギヤ２２０も接続ギヤ２３０Ａと噛合う位置に移動する。切替レバー９０のポジションＤ（終端２４１ＤＥ）からポジションＡへの移動時に、昇降機３５３は、キャップ３５１を下げるように動作し、キャップ３５１は、記録ヘッド８０から取り外される。
【０１１３】
付言すると、アンキャップ処理では、主制御ユニット１０は、切替レバー９０をポジションＡに移動させた後に、移動ギヤ２２０が接続ギヤ２３０Ａと噛合うように、駆動ギヤ２１０を通じて移動ギヤ２２０を正回転方向及び逆回転方向に交互に微小回転させる制御を行う。この微小回転は、搬送制御ユニット６０を通じた搬送モータ１１０の回転制御により実現される。微小回転の繰返しにより、移動ギヤ２２０の歯と移動方向の接続ギヤ２３０の歯溝とが揃うタイミングが生じ、移動ギヤ２２０は、接続ギヤ２３０Ａに移動する。このように駆動ギヤ２１０及び移動ギヤ２２０を正逆微小回転させる動作のことを、以下では正逆転動作と表現する。
【０１１４】
本実施例では、移動ギヤ２２０を目的の接続ギヤ２３０と噛合う位置に移動させるとき、主制御ユニット１０は、切替レバー９０の位置制御と共に、上記正逆転動作を行うが、正逆転動作なしでもギヤ間の噛合が可能なシステムでは、当然のことながら正逆転動作を行わなくても良い。
【０１１５】
Ｓ３１０におけるアンキャップ処理を終了すると、主制御ユニット１０は、現時点で設定されているコピー実行条件に従って給紙時に利用すべき給紙トレイが第一トレイ３１３及び第二トレイ３２３のいずれであるかを判別する（Ｓ３２０）。以下では、給紙時に利用すべき給紙トレイのことを「対象トレイ」と表現する。Ｓ３２０では、主制御ユニット１０は、標準コピーモードで定められている用紙タイプ及び用紙サイズに対応する給紙トレイを、対象トレイとして判別する。
【０１１６】
その後、主制御ユニット１０は、図８に示す駆動切替処理を実行し（Ｓ３３０）、切替レバー９０の位置を、対象トレイに対応した位置に切り替えることで、給紙準備する。駆動切替処理では、主制御ユニット１０は、対象トレイが、第一トレイ３１３及び第二トレイ３２３のいずれであるか否かを判断する（Ｓ５１０）。そして、対象トレイが第一トレイ３１３である場合には、主制御ユニット１０は、切替レバー９０がポジションＡに位置しているか否かを判断する（Ｓ５２０）。
【０１１７】
主制御ユニット１０は、切替レバー９０がポジションＡに位置しているか否かを、判断を、それまでのキャリッジ７１の位置制御に基づいて判断することができる。つまり、主制御ユニット１０は、キャリッジ７１の制御により切替レバー９０を移動させる度、その移動後の切替レバー９０の位置を記憶しておくことで、上記判断を行うことができる。
【０１１８】
主制御ユニット１０は、切替レバー９０がポジションＡに位置している場合（Ｓ５２０でＹｅｓ）、駆動切替処理を終了する。一方、切替レバー９０がポジションＡに位置していない場合（Ｓ５２０でＮｏ）、主制御ユニット１０は、切替レバー９０をポジションＡに切り替えるように、キャリッジ７１の搬送制御を行い、更には正逆転動作を行って、移動ギヤ２２０を接続ギヤ２３０Ａに接続する（Ｓ５３０）。その後、駆動切替処理を終了する。
【０１１９】
付言すると、切替レバー９０をポジションＢ，ＣからポジションＡに移動させる場合には、主制御ユニット１０は、切替レバー９０をポジションＤまで移動させるようにキャリッジ７１の搬送制御を行った後、キャリッジ７１をポジションＡに対応する位置まで移動させる。
【０１２０】
主制御ユニット１０は、対象トレイが第二トレイ３２３である場合には、切替レバー９０がポジションＢに位置しているか否かを判断する（Ｓ５４０）。そして、切替レバー９０がポジションＢに位置している場合には（Ｓ５４０でＹｅｓ）、主制御ユニット１０は、駆動切替処理を終了する。
【０１２１】
切替レバー９０がポジションＢに位置していない場合（Ｓ５４０でＮｏ）、主制御ユニット１０は、切替レバー９０をポジションＢに切り替えるように、キャリッジ７１の搬送制御を行い、更には正逆転動作を行って、移動ギヤ２２０を接続ギヤ２３０Ｂに接続する（Ｓ５５０）。その後、主制御ユニット１０は、駆動切替処理を終了する。
【０１２２】
Ｓ３１０のアンキャップ処理によって、切替レバー９０は、ポジションＡに移動し、移動ギヤ２２０は接続ギヤ２３０Ａと噛合った状態にされる。従って、Ｓ３２０で判別される対象トレイが第一トレイ３１３であるとき、主制御ユニット１０は、駆動切替処理を実行しなくてもよい。
【０１２３】
また、メイン画面Ｇ１からコピー画面Ｇ２に切り替わった直後においては、ユーザが、第一トレイ３１３及び第二トレイ３２３のいずれからの給紙を望んでいるのかを基本的に特定することができない。従って、Ｓ３２０，Ｓ３３０の処理は実行されなくてもよい。即ち、先行処理の初期においては、Ｓ３１０でアンキャップ処理を実行し、移動ギヤ２２０を接続ギヤ２３０Ａに接続することで、第一トレイ３１３からの給紙準備を行ってもよい。マニュアル等を通じて、第一トレイ３１３に使用頻度の高い用紙Ｑを収容することを、ユーザに推奨することで、この給紙準備の効果は高まる。
【０１２４】
上記給紙準備後には、キャリッジ７１をメインエリアにおけるコピージョブ実行時の印刷開始位置に配置するように、キャリッジ７１の搬送制御を行い、コピージョブの実行指示後、迅速にコピー画像の印刷を行えるように準備してもよい。このような準備は、コピージョブの実行指示に対する応答速度向上のためには、好ましい。
【０１２５】
Ｓ３１０〜Ｓ３３０での処理を終えると、主制御ユニット１０は、Ｓ３４０に移行し、記録ヘッド８０がアンキャップ状態にあるか否かを判断する。アンキャップ状態は、記録ヘッド８０にキャップ３５１が装着されていない状態を示す。アンキャップ状態ではないとき、キャリッジ７１はホームポジションに位置し、記録ヘッド８０は、キャップ３５１によりノズル面を被覆された状態にされる。主制御ユニット１０は、Ｓ３４０における上記判断を、キャリッジ７１がホームポジションから外れた位置にしている（アンキャップ状態である）か否か（アンキャップ状態でない）を判断することにより実現することができる。
【０１２６】
Ｓ３４０で、記録ヘッド８０がアンキャップ状態にあると判断すると（Ｓ３４０でＹｅｓ）、主制御ユニット１０は、Ｓ４００に移行する。Ｓ４００では、主制御ユニット１０は、キャップ条件が満足されたか否かを判断する。キャップ条件は、アンキャップ状態の記録ヘッド８０に再度キャップ３５１を装着する動作を実行する条件に対応する。主制御ユニット１０は、アンキャップ状態が所定時間継続されている場合、キャップ条件が満足されたと判断することができる。
【０１２７】
キャップ条件が満足されていると判断すると（Ｓ４００でＹｅｓ）、主制御ユニット１０は、キャップ処理を実行する（Ｓ４１０）。キャップ処理は、主制御ユニット１０が、キャリッジ搬送ユニット７０を通じてキャリッジ７１を制御することにより、記録ヘッド８０にキャップ３５１を装着する処理のことである。キャップ処理においては、キャリッジ７１がホームポジションに移動することで、切替レバー９０が、ポジションＤの終端２４１ＤＥに配置される。主制御ユニット１０は、キャリッジ７１をホームポジションに保持した状態でキャップ処理を終了し、Ｓ３４０に移行する。
【０１２８】
Ｓ３４０において、記録ヘッド８０がアンキャップ状態にはないと判断すると、主制御ユニット１０は、表示ユニット３１の表示画面がオプション画面Ｇ３からコピー画面Ｇ２に切り替わった直後であるか否かを判断する（Ｓ３５０）。そして、主制御ユニット１０は、切り替わった直後ではないと判断すると（Ｓ３５０でＮｏ）、Ｓ４００に移行し、切り替わった直後であると判断すると、Ｓ３６０に移行する。
【０１２９】
Ｓ３６０において、主制御ユニット１０は、Ｓ３４０と同様に、記録ヘッド８０がアンキャップ状態にあるか否かを判断する。そして、アンキャップ状態にある場合には（Ｓ３６０でＹｅｓ）、主制御ユニット１０は、Ｓ３８０に移行し、アンキャップ状態にない場合には（Ｓ３６０でＮｏ）、アンキャップ処理を実行した後（Ｓ３７０）、Ｓ３８０に移行する。
【０１３０】
Ｓ３８０において、主制御ユニット１０は、現時点で設定されているコピー実行条件に従う対象トレイを、用紙サイズ及び用紙タイプ、又は、給紙トレイの設定値から判別する。その後、主制御ユニット１０は、Ｓ３３０と同様に駆動切替処理を実行する（Ｓ３９０）。この駆動切替処理により、第一給紙ユニット３１０及び第二給紙ユニット３２０の内、対象トレイを有する給紙ユニットを搬送モータ１１０から駆動できるように、移動ギヤ２２０と、接続ギヤ２３０Ａ又は接続ギヤ２３０Ｂとが接続される。その後、主制御ユニット１０は、Ｓ４００に移行する。
【０１３１】
この他、主制御ユニット１０は、キャップ条件が満足されていない場合（Ｓ４００でＮｏ）、対象トレイが変更されたか否かを判断する（Ｓ４２０）。そして、対象トレイが変更された場合には（Ｓ４２０でＹｅｓ）、Ｓ３６０に移行して、主制御ユニット１０は、変更された対象トレイを駆動できるように、キャリッジ７１の移動を制御して切替レバー９０を移動させる。これにより、移動ギヤ２２０と、対象トレイに対応する接続ギヤ２３０Ａ又は接続ギヤ２３０Ｂとが接続される（Ｓ３９０）。
【０１３２】
Ｓ４２０では、オプション画面Ｇ３において、用紙タイプ、用紙サイズ及び給紙トレイのいずれかの設定値を変更する操作がなされた場合、主制御ユニット１０は、肯定判断（Ｓ４２０でＮｏ）する。Ｓ４２０では、コピー画面Ｇ２において、コピーモードの変更操作がなされた場合にも、主制御ユニット１０は、肯定判断する。
【０１３３】
一方、対象トレイが変更されていない場合（Ｓ４２０でＮｏ）、主制御ユニット１０は、操作オブジェクトＪ２５，Ｊ２６の押下操作により、コピージョブの実行指示が入力されたか否かを判断する（Ｓ４３０）。入力されていない場合には（Ｓ４３０でＮｏ）、主制御ユニット１０は、Ｓ３４０に移行し、実行指示が入力された場合には（Ｓ４３０でＹｅｓ）、主制御ユニット１０は、当該先行処理を終了する。図示しないが、コピージョブの実行指示が入力されないまま、操作オブジェクトＪ２７が押下されて、表示ユニット３１の表示画面がメイン画面Ｇ１に切り替わった場合、主制御ユニット１０は、Ｓ４１０と同様のキャップ処理を実行した後、先行処理を終了することができる。
【０１３４】
以上、本実施例の多機能装置１について説明したが、この多機能装置１における主制御ユニット１０は、コピージョブ、スキャンジョブ、及び、ＦＡＸ送信ジョブを含む、複数種のジョブのいずれかに対する実行指示が入力されたことを条件に、実行指示に対応するジョブを実行するように構成される（Ｓ２２０，Ｓ１４０）。実行指示は、コピージョブ、スキャンジョブ、及び、ＦＡＸ送信ジョブのいずれかを実行対象（利用対象機能）として選択可能なメイン画面Ｇ１より一つ下層のサブ画面で受け付けられる。
【０１３５】
また、伝達機構２００は、搬送モータ１１０と第一給紙ユニット３１０及び第二給紙ユニット３２０との間を接続及び遮断するように構成され、切替レバー９０がポジションＡ，Ｂにあるときには、搬送モータ１１０と給紙ユニット３１０，３２０との間を接続し、切替レバー９０がポジションＣ，Ｄにあるときには、搬送モータ１１０と給紙ユニット３１０，３２０との間を遮断するように構成される。
【０１３６】
主制御ユニット１０は、ユーザインタフェース３０が有する表示ユニット３１に対する表示制御処理として図５に示す操作受付処理を実行するように構成され、コピージョブの実行指示前の処理として、図７に示す先行処理を実行するように構成される。
【０１３７】
主制御ユニット１０は、メイン画面Ｇ１に基づき実行対象（利用対象機能）としてコピージョブ（コピー機能）が選択されると、先行処理において、給紙ユニット３１０，３２０が搬送モータ１１０に連結されるように伝達機構２００を制御することにより、給紙ユニット３１０，３２０を搬送モータ１１０により駆動可能な状態にする。
【０１３８】
この多機能装置１によれば、主制御ユニット１０が、給紙ステップを含むコピージョブ、並びに、給紙ステップを含まないスキャンジョブ及びＦＡＸ送信ジョブを実行可能であるため、コピージョブの実行指示が入力されるまで、給紙ユニット３１０，３２０を駆動する必要があるか否かが定まらない。
【０１３９】
このような環境下で、多機能装置１は、操作オブジェクトＪ１２が押下操作され、給紙ユニット３１０，３２０の駆動が必要なコピージョブの実行指示が入力される可能性が高まった時点で、給紙ユニット３１０，３２０を搬送モータ１１０により駆動可能な状態にする。従って、この多機能装置１によれば、コピージョブに必要な給紙ユニット３１０，３２０の駆動準備を、効率的に行うことができる。
【０１４０】
更に言えば、本実施例の先行処理では、キャリッジ７１を移動させて、切替レバー９０をポジションＡに移動させることにより、給紙ユニット３１０と搬送モータ１１０との連結と併せて、記録ヘッド８０からキャップ３５１を取り外し、記録ヘッド８０を、用紙Ｑに画像形成可能な状態にする。本実施例によれば、キャリッジ７１の移動、及びそれに伴う切替レバー９０の移動に連動して、切替レバー９０がポジションＤに移動し、給紙ユニット３１０，３２０が搬送モータ１１０から遮断されるときには、キャッピング機構３５０がキャップ３５１を記録ヘッド８０に装着し、切替レバー９０がポジションＡに移動し、給紙ユニット３１０が搬送モータ１１０に接続されるときには、キャッピング機構３５０がキャップ３５１を記録ヘッド８０から取り外す。
【０１４１】
このように本実施例の多機能装置１によれば、給紙ユニット３１０，３２０と搬送モータ１１０との間の接続及び遮断と、キャップ３５１の着脱とを連動して効率的に行うことができる。従って、上述した先行処理の実行は、用紙搬送の迅速化、ひいては、ジョブの実行指示が入力されてからコピーを完了するまでのスループットの向上に非常役立つ。
【０１４２】
また、本実施例の多機能装置１によれば、記録ヘッド８０からキャップ３５１が取り外された状態が所定時間継続すると、主制御ユニット１０が、記録ヘッド８０にキャップ３５１を装着する処理を更に実行する（Ｓ４１０）。インク液滴を吐出するタイプの記録ヘッド８０では、インク液滴の吐出口（ノズル面）が長時間キャップされていない状態が続くと、インク詰まり等の不具合が発生しやすいが、本実施例によれば、コピージョブに対する事前準備を行うことによる不利益の発生を抑えることができる。
【０１４３】
また、オプション画面Ｇ３は、コピージョブの実行条件（コピー実行条件）を変更可能な画面として構成されるが、記録ヘッド８０からキャップ３５１が取り外された状態が長時間続くケースでは、このオプション画面Ｇ３を通じてユーザがコピー実行条件の設定変更操作をしていることが多い。一方、オプション画面Ｇ３からコピー画面Ｇ２に移行したときには、その後、コピージョブの実行指示が短時間で入力される可能性が高い。このため、本実施例では、上述したように、オプション画面Ｇ３からコピー画面Ｇ２に移行したときに記録ヘッド８０にキャップ３５１が装着されている場合には、アンキャップ処理（Ｓ３７０）を実行するようにした。
【０１４４】
従って、本実施例によれば、コピー実行条件の変更等にユーザが時間を有し、記録ヘッド８０にキャップ３５１が装着された場合にも、変更操作が完了してジョブの実行指示が入力される前に、迅速に、記録ヘッド８０からキャップ３５１を取り外して、コピージョブの実行に備えることができる。
【０１４５】
また、本実施例によれば、給紙ユニット３１０，３２０は、複数の給紙トレイとして、第一トレイ３１３及び第二トレイ３２３を有するが、先行処理では、まず、給紙ユニット３１０，３２０の内、標準コピーモードに設定された用紙サイズ及び用紙タイプの用紙Ｑが収容されたトレイを有する給紙ユニットを駆動可能状態にした（Ｓ３２０〜Ｓ３３０）。従って、利用頻度の高いコピー実行条件を、標準コピーモードのコピー実行条件に定めることで、およそユーザが所望する給紙トレイからの給紙が可能となるように、給紙ユニット３１０，３２０を駆動可能状態に置くことができ、コピージョブに対する事前準備を効率的に行うことができる。
【０１４６】
尚、標準コピーモードのコピー実行条件を、ユーザが設定可能に多機能装置１を構成すれば、一層、事前準備を効率的に行うことが可能である。別例として、Ｓ３２０，Ｓ３３０を実行しないケースでは、第一トレイ３１３を標準トレイとして利用するようにユーザに案内することにより、事前準備の効率化を図ることができる。
【０１４７】
特に本実施例では、切替レバー９０が循環式の構成を有し、切替レバー９０によっては有効トレイが、予め定められた順序（第一トレイ３１３、第二トレイ３２３の順）で切り替えられる。この場合、Ｓ３２０，Ｓ３３０を実行せず、Ｓ３１０のアンキャップ処理で、最初に搬送モータ１１０と連結される第一給紙ユニット３１０が有する第一トレイ３１３を有効トレイに設定し、その後、給紙トレイの変更操作がなされるまで、この状態を維持するように、多機能装置１を構成すれば、利用される給紙トレイが確定されていない段階での、接続状態の切替を最低限に抑えることができて、キャリッジ７１の非効率な動きを抑制することができ、効率的な事前準備を実現することができる。
【０１４８】
この他、本実施例では、ユーザインタフェース３０を通じて、給紙対象の用紙Ｑ又は給紙トレイを変更する操作がなされると、伝達機構２００（切替レバー９０）を制御して、変更操作に従う給紙トレイからの用紙搬送が可能となるように、搬送モータ１１０と給紙ユニット３１０，３２０との間の接続状態を切り替える。従って、本実施例では、Ｓ３１０〜Ｓ３３０にて駆動可能状態にした給紙ユニットが、ユーザが望むものではない場合に、これを修正して、ジョブの実行指示に備えることができる。
【０１４９】
従って、本実施例によれば、非常に有益な多機能装置１を提供することができる。
［第二実施例］
続いて、第二実施例の多機能装置１について説明する。第二実施例の多機能装置１は、第一実施例の多機能装置１において、主制御ユニット１０が更に図９に示す連動切替処理を実行するように構成されたものである。従って、以下では、第二実施例の説明として、連動切替処理の内容を選択的に説明する。
【０１５０】
本実施例において、主制御ユニット１０は、先行処理の実行中、先行処理と並列に、図９に示す連動切替処理を反復実行する。この連動切替処理では、主制御ユニット１０は、第一トレイ３１３及び第二トレイ３２３のいずれかが開閉されるまで待機する（Ｓ６１０）。、主制御ユニット１０は、第一トレイ３１３及び第二トレイ３２３が開閉されたか否かを、夫々、第一開閉センサ３１５及び第二開閉センサ３２５からの検知信号に基づき判断することができる。
【０１５１】
第一トレイ３１３及び第二トレイ３２３のいずれかが開閉されたと判断すると（Ｓ６１０でＹｅｓ）、主制御ユニット１０は、Ｓ６３０に移行し、記録ヘッド８０がアンキャップ状態であるか否かを判断する。そして、主制御ユニット１０は、アンキャップ状態であると判断すると（Ｓ６３０でＹｅｓ）、Ｓ６５０に移行し、主制御ユニット１０は、アンキャップ状態ではないと判断すると（Ｓ６３０でＮｏ）、アンキャップ処理を実行した後（Ｓ６４０）、Ｓ６５０に移行する。
【０１５２】
Ｓ６５０に移行すると、主制御ユニット１０は、第一トレイ３１３及び第二トレイ３２３の内、直前に開閉された給紙トレイを対象トレイとして、図８に示す駆動切替処理を実行する（Ｓ６６０）。これにより、主制御ユニット１０は、第一給紙ユニット３１０及び第二給紙ユニット３２０の内、直前に給紙トレイが開閉された給紙ユニットを駆動可能な状態にするように、キャリッジ７１の移動を制御して切替レバー９０を移動させる。これにより、移動ギヤ２２０と、直前に開閉された給紙トレイに対応する接続ギヤ２３０Ａ又は接続ギヤ２３０Ｂとが接続される。
【０１５３】
主制御ユニット１０は、先行処理が終了するまで、このような連動切替処理を繰返し実行する。
このように本実施例の多機能装置１によれば、主制御ユニット１０は、複数の給紙トレイ（第一トレイ３１３及び第二トレイ３２３）のいずれかに対する開閉操作を検知すると、開閉された給紙トレイから用紙Ｑが搬送されるように、搬送モータ１１０と給紙ユニット３１０、３２０との間の接続状態を切り替える。
【０１５４】
給紙トレイが開閉される場合には、その給紙トレイを利用する予定でユーザが当該給紙トレイを開閉している可能性が高い。従って、本実施例の多機能装置１によれば、ユーザが所望する給紙トレイからの用紙搬送のための給紙ユニット３１０，３２０の駆動準備を適切且つ効率的に行うことができる。
【０１５５】
第二実施例の変形例として、主制御ユニット１０は、Ｓ６１０で肯定判断した後、Ｓ６３０に移行する前に、図９に示すＳ６２０を実行するように構成されてもよい。Ｓ６２０は、トレイの開閉を契機とする駆動切替処理の実行と、コピー画面Ｇ２又はオプション画面Ｇ３を通じた給紙トレイの変更操作との調和を図るための処理である。
【０１５６】
変形例の主制御ユニット１０は、Ｓ６２０に移行すると、給紙トレイの開閉に基づく駆動切替処理の実行に必要な所定条件を満足しているかを判断し、条件を満足していない場合には（Ｓ６２０でＮｏ）、Ｓ６１０に移行し、条件を満足している場合には（Ｓ６２０でＹｅｓ）、Ｓ６３０に移行するように構成される。
【０１５７】
上記所定条件としては、給紙トレイの開閉に基づく駆動切替処理の実行許可をユーザから事前に受けていることを一例に挙げることができる。上記所定条件としては、その他に、給紙トレイの開閉前の所定期間に給紙トレイの変更操作がコピー画面Ｇ２又はオプション画面Ｇ３を通じてなされていないことを一例に挙げることができる。
【０１５８】
給紙トレイが開閉された場合には、開閉された給紙トレイを利用する意思をユーザが有していると推定することに妥当性がある。しかしながら、必ずしも、ユーザが開閉した給紙トレイの利用を望んでいるとは限らない。従って、給紙トレイが開閉され且つ予め定められた上記条件が満足されている場合に限って、上記駆動切替処理を実行して、開閉された給紙トレイからの給紙準備を行うように、多機能装置１を構成すれば、一層好ましいコピージョブの事前準備を行うことが可能である。
【０１５９】
［他の実施例］
以上には、第一実施例及び第二実施例の多機能装置１について説明したが、本発明は、上記実施例に限定されるものではなく、種々の態様を採ることができる。例えば、記録メディア（メモリカード等）に記録されたデータに基づく画像を用紙Ｑに印刷する機能を多機能装置１が有している場合には、この機能がメイン画面Ｇ１で利用対象機能として選択された時点で、上記コピージョブと同様の先行処理を実行するように、多機能装置１は構成されてもよい。
【０１６０】
この他、本発明は、給紙トレイが３つ以上の多機能装置に適用されてもよい。例えば、多機能装置１は、反転ユニット３３０に代えて、第三トレイを有する第三給紙ユニットを備えた構成にされてもよい。特許請求の範囲に記載の文言から特定される技術思想に含まれるあらゆる態様が本発明の実施形態である。
【０１６１】
また、当接部材（壁３５３Ａ）に対してキャリッジ７１が接離することで、昇降機３５３がキャップ３５１を昇降させることを説明したが、他の態様でも良い。例えば、新たにモータを追加して、この追加したモータの駆動によってキャップ３５１及び昇降機３５３を昇降させるよう構成にされても良い。このように構成される場合、主制御ユニット１０は、キャリッジ搬送ユニット７０を通じて、キャリッジ７１がホームポジションに位置すると判断したことを契機に、このモータを駆動して昇降機３５３を動作させキャップ３５１を上昇させることができる。また、アンキャップ処理においては、主制御ユニット１０は、このモータを駆動して、昇降機３５３を動作させて、キャップ３５１を下降させることができる。
【０１６２】
最後に用語間の対応関係について説明する。主制御ユニット１０は、制御ユニットの一例に対応し、給紙ユニット３１０，３２０の一群は、被駆動ユニット及び搬送ユニットの一例に対応し、搬送モータ１１０は、駆動ユニットの一例に対応する。この他、伝達機構２００及び切替レバー９０は、切替ユニットの一例に対応し、キャリッジ搬送ユニット７０及び記録ヘッド８０は、画像形成ユニットの一例に対応し、キャッピング機構３５０は、キャッピングユニットの一例に対応する。
【符号の説明】
【０１６３】
１…多機能装置、１０…主制御ユニット、１１…ＣＰＵ、１３…ＲＯＭ、１５…ＲＡＭ、１７…ＮＶＲＡＭ、２０…ＦＡＸ通信ユニット、２５…データ通信ユニット、３０…ユーザインタフェース、３１…表示ユニット、３５…入力ユニット、４０…読取ユニット、５０…印刷制御ユニット、６０…搬送制御ユニット、７０…キャリッジ搬送ユニット、７１…キャリッジ、７３…モータ、７５…ベルト機構、７７，７８…ガイドレール、７９…リニアエンコーダ、８０…記録ヘッド、９０…切替レバー、１００…用紙搬送ユニット、１１０…搬送モータ、１２０…搬送ローラ、１３０…ロータリエンコーダ、２００…伝達機構、２１０…駆動ギヤ、２２０…移動ギヤ、２２５，２３５…軸部材、２２７，２２８…バネ部材、２３０，２３０Ａ，２３０Ｂ，２３０Ｃ，２３０Ｄ…接続ギヤ、２３１…傘歯車部、２４０…レバー保持部材、２４１Ａ，２４１Ｂ，２４１Ｃ，２４１Ｄ…レバー配置領域、２４１ＤＥ…終端、３１０…第一給紙ユニット、３１１…第一給紙ローラ、３１３…第一トレイ、３１５…第一開閉センサ、３２０…第二給紙ユニット、３２１…第二給紙ローラ、３２３…第二トレイ、３２５…第二開閉センサ、３３０…反転ユニット、３４０…メンテナンスユニット、３５０…キャッピング機構、３５１…キャップ、３５３…昇降機、Ｇ１…メイン画面、Ｇ２…コピー画面、Ｇ３…オプション画面、ＨＬ…孔、ＭＡ…メンテナンスエリア、Ｊ１１，Ｊ１２，Ｊ１３，Ｊ２１，Ｊ２２，Ｊ２３，Ｊ２４，Ｊ２５，Ｊ２６，Ｊ２７，Ｊ３１…操作オブジェクト、Ｑ…用紙。
【図１】
0006406034.tif 000002
【図２】
0006406034.tif 000003
【図３】
0006406034.tif 000004
【図４】
0006406034.tif 000005
【図５】
0006406034.tif 000006
【図６】
0006406034.tif 000007
【図７】
0006406034.tif 000008
【図８】
0006406034.tif 000009
【図９】
0006406034.tif 000010